(57)【要約】【課題】マスターキーを用意したり、またパスワードなどを覚えておいたり、ＩＤを入力するなどのわずらわしい処理をしなくとも、安全に開錠を行うことができるようにする。【解決手段】メモリ５２１に少なくとも一つの開錠する時刻情報を記憶しておき、開錠制御部５２３が時計部５２４の現在時刻を参照して、メモリ５２１に記憶されている開錠時刻となった時に自動に開錠するようにした。【選択図】        図１
2004308242.tif 000002
【特許請求の範囲】
【請求項１】
識別情報を含む開錠要求信号を無線により送信する少なくとも一つの鍵装置から送信された識別情報を含む開錠要求信号を受信することにより施錠を開錠することができる電子錠装置であって、
上記電子錠を開錠する少なくとも一つの時刻情報を記憶する記憶手段と、
現在時刻情報を生成する時計手段と、
上記時計手段の現在時刻が上記記憶手段に記憶されている開錠時刻となった場合に施錠を開錠させる開錠制御手段と、
を有することを特徴とする施錠装置。
【請求項２】
上記記憶手段には電子錠の開錠状態を継続する時間が更に記憶されており、
上記開錠制御手段は、上記時間に応じて上記電子錠の開錠を継続する、
請求項１記載の施錠装置。
【請求項３】
上記記憶手段には、鍵装置からの開錠要求信号を無効とする無効時間を更に記憶し、
上記開錠制御手段は、上記時計手段を参照して上記鍵装置からの開錠要求がされた時刻を特定し、当該時刻が上記無効時間内である場合には、施錠の開錠を禁止する、
請求項１又は２記載の施錠装置。
【請求項４】
上記電子錠装置とは別の施錠装置が設けられ、かつ、上記電子錠装置は内鍵である、
請求項１〜３のいずれかの項に記載の施錠装置。
【請求項５】
上記電子錠装置は、
上記電子錠が施錠されている時に、不正に開錠されたことを検知するセンサーを更に有する、
請求項１〜４のいずれかの項に記載の施錠装置。
【請求項６】
識別情報を含む開錠要求信号を無線により送信する鍵装置から送信された識別情報を含む開錠要求信号を受信することにより施錠を開錠することができる電子錠装置により実行される方法であって、
上記電子錠装置が、
記憶手段に上記電子錠を開錠する少なくとも一つの時刻情報を記憶しておき、時刻情報を生成する時計手段の時刻が上記記憶手段に記憶されている開錠時刻となった場合に上記電子錠を開錠させる処理を行う、
ことを特徴とする施錠装置制御方法。
【発明の詳細な説明】
【０００１】
【発明の属する技術分野】
本発明は、電子的な信号に基づいて施開錠を行う技術に関するものであって、特に、建物のドアなどのピッキング等の不正に対して効果的な技術に関する。
【０００２】
【従来の技術】
現在、マンションなどの家屋、或いはオフィスなどでもピッキングが社会問題となっている。これらの建物では、たとえドアに鍵を掛けていても、不正に作った合鍵や特殊な工具などの様々な手段で鍵が開けられ、盗みなどの犯罪が行われ年々手口が巧妙になってきており、これに応じて不正が行い難いように種々の鍵が開発されている。
そして、このようなピッキングなどの不正に対処するため、例えば、携帯電話を鍵として利用し、携帯電話からＩＤやパスワードなどを発信してドアの電気錠装置を制御する技術が提案されている（例えば、特許文献１）。
【０００３】
【特許文献１】
特開２００１−１９３３２４号公報
【０００４】
【発明が解決しようとする課題】
ピッキングを行う者にとっては、ピッキングをしている姿を他人に見られないようにするため、一刻も早く鍵を開けてその場を離れたいという潜在的な思いがある。しかし、従来の鍵は、ドアなどに一つだけ取り付けられているに過ぎないため、その鍵が壊されたり、不正に開錠されてしまうと簡単に侵入されてしまうという問題があった。
【０００５】
また、ドアに複数の鍵が取り付けられている場合であっても、その鍵穴や暗証番号を入力するための入力キーボタンが外に向いて露出しているため、不正に開錠しようとするとこの鍵穴に特殊な工具などを入れて開錠される危険があり、セキュリティ上必ずしも万全ではなかった。
【０００６】
また、従来のマンションなどでは、どの部屋でも開けられるマスターキーを用意しておき、住人が鍵を無くした場合などに管理人が本人を確認して部屋の鍵を開けていた。しかし、このマスターキー自体を紛失してしまったり、或いはマスターキーが不正にコピーされることもありセキュリティ上問題もあった。
【０００７】
また、上述した従来の携帯電話を利用した鍵システムでは、その携帯端末自体をなくした場合については全く考えられていなかった。そのため、携帯電話がないと全くドアを開錠できなくなってしまうという問題があった。
【０００８】
本発明は上述の問題点を解決するためになされたものであって、マスターキーを用意したり、またパスワードなどを覚えておいたり、ＩＤを入力するなどのわずらわしい処理をしなくとも、安全に開錠を行うことができる仕組みを提供することを課題とする。
【０００９】
【課題を解決するための手段】
上述の課題を解決するため、本発明の一の観点にかかる施錠装置は、識別情報を含む開錠要求信号を無線により送信する少なくとも一つの鍵装置から送信された識別情報を含む開錠要求信号を受信することにより施錠を開錠することができる電子錠装置であって、上記電子錠を開錠する少なくとも一つの時刻情報を記憶する記憶手段と、現在時刻情報を生成する時計手段と、上記時計手段の現在時刻が上記記憶手段に記憶されている開錠時刻となった場合に施錠を開錠させる開錠制御手段と、を有することを特徴とする。
【００１０】
上記記憶手段には電子錠の開錠状態を継続する時間が更に記憶されており、上記開錠制御手段は、上記時間に応じて上記電子錠の開錠を継続するようにしてもよい。
【００１１】
上記記憶手段には、鍵装置からの開錠要求信号を無効とする無効時間を更に記憶し、上記開錠制御手段は、上記時計手段を参照して上記鍵装置からの開錠要求がされた時刻を特定し、当該時刻が上記無効時間内である場合には、上記電子錠の開錠を禁止するようにしてもよい。
【００１２】
また、上記電子錠装置を取り付ける対象物には、電子錠装置とは別の施錠装置が設けられていてもよいし、また上記電子錠装置を内鍵としてもよい。
【００１３】
上記電子錠装置は、上記電子錠が施錠されている時に、不正に開錠されたことを検知するセンサーを更に有してもよい。
【００１４】
本発明の一の観点にかかる施錠装置制御方法は、識別情報を含む開錠要求信号を無線により送信する鍵装置から送信された識別情報を含む開錠要求信号を受信することにより施錠を開錠することができる電子錠装置により実行される方法であって、上記電子錠装置が、記憶手段に上記電子錠を開錠する少なくとも一つの時刻情報を記憶しておき、時刻情報を生成する時計手段の時刻が上記記憶手段に記憶されている開錠時刻となった場合に上記電子錠を開錠させる処理を行うことを特徴とする。
【００１５】
【発明の実施の形態】
以下、図面を参照して本発明にかかる一実施形態について説明する。
図１に本実施形態の全体構成の概略を示す。図１において、建物１の一側面には、ドア２が取り付けられている。このドア２は、図２に示すように蝶番を介して開閉自在に取り付けられており、このドア２を開閉するノブ３の部分には鍵４が設けられている。この鍵４は、通常のシリンダー鍵などであり、鍵４の鍵穴に所定形状の鍵を差し込むなどして施開錠することができるようになっている。
【００１６】
また、ドア２の内側上端部には、第２の鍵として本発明にかかる電子錠装置５が、外からは見えない内鍵として取り付けられている。この電子錠装置５は、ユーザが保有している鍵装置６及び建物１内の家庭内端末７と、Ｂｌｕｅｔｏｏｔｈなどの所定のプロトコルにより無線により通信可能に構成されている。なお、電子施錠装置５は、建物１の外から見えない位置であればドア２のどこに取り付けてもよく、特に限定されるものではない。
【００１７】
家庭内端末７は、いわゆるパソコンなどにより構成することができる。この家庭内端末７は、ＣＰＵ（Ｃｅｎｔｒａｌ  Ｐｒｏｃｅｓｓｉｎｇ  Ｕｎｉｔ）、ＣＰＵが実行する所定のコンピュータプログラム、コンピュータプログラムなどを記憶することがＲＡＭ、ＲＯＭ、ハードディスクドライブなどの記憶部を有している。この家庭内端末３は、Ｂｌｕｅｔｏｏｔｈユニットなどの通信手段を有しており、これにより電子錠装置１と通信可能に構成されている。また、家庭内端末３は、開錠時刻・時間設定用のコンピュータプログラムを保持して、このコンピュータプログラムを実行することにより、電子錠装置５の開錠時刻及び開錠時間などを設定することができるようになっている。
【００１８】
鍵装置６は、内部に電池などの電源を有する携帯型の端末である。この鍵装置６は、キーホルダー型をしており、その一部にユーザが電子錠装置５に対して開錠指示を行うためのボタン６ａが設けられている。なお、鍵装置６の形態は、キーホルダー型に限らず、定期入れ、キー本体、音楽再生装置、携帯ラジオ、携帯電話、カードなどと一体に形成してもよい。また、鍵装置６は、一つの電子錠５に対して１台だけでもよいし複数台用いてもよい。
【００１９】
この鍵装置６の電気的構成を表す機能ブロックを図３に示す。図３に示すように、鍵装置６は、メモリ６１、ボタン操作部６２、通信部６３、制御部６４から構成されている。
メモリ６１は、当該鍵装置６に割り当てられている識別情報としてのＩＤなどを記憶するメモリであって、ＲＡＭ、ＥＥＰＲＯＭなどにより構成することができる。このＩＤは、鍵装置６ごとに異なるＩＤが予め割り当てられている。
ボタン操作部６２は、ユーザによりボタン６ａが押され、開錠指示がされたことを検知する処理行う。
通信部６３は、電子錠装置５との間の無線通信手段として機能するものであって、例えば、Ｂｌｕｅｔｏｏｔｈプロトコルに従って、電子錠装置５との通信処理を行う。これにより、電子錠装置５との間で、所定の数ｍ〜１０ｍ程度の範囲内で無線によるデータ通信ができるようになっている。
制御部６４は、例えば、マイコンなどにより構成することができ、上記メモリ６１、ボタン操作部６２、通信部６３の処理をそれぞれ制御することができる。
【００２０】
電子錠装置５は、施開錠を行う錠機構部５１と、錠機構部５１の施開錠を制御する制御ユニット５２から構成されている。
錠機構部５１は、例えば、図４に示すようにサーボモータ５１１と、このサーボモータ５１１により回転駆動される閂５１２と、建物１側に取り付けられ閂５１２が係合する凹部を有する鍵受５１３から構成することができる。このような構成により、サーボモータ５１１が通電制御されることにより、閂５１２が回転して鍵受５１３に係合したり、鍵受５１３との係合か解除されることにより施開錠を行うことができるようになっている。
【００２１】
なお、錠機構部５１は、図４に示した構成に限定されるものではなく、例えば、サーボモータにより歯車を回転駆動させてシリンダーを移動させることにより施開錠するように構成してもよいし、またソレノイドによりシリンダーを移動させることにより施開錠するように構成してもよく任意である。
【００２２】
錠機構部５１を制御する制御ユニット５２の機能ブロックを図５に示す。制御ユニット５２は、図５に示すように、メモリ５２１、通信部５２２、警報処理部５２３、開錠制御部５２４、時計部５２５、ドアセンサ制御部５２６から構成されている。
【００２３】
メモリ５２１は、電子錠装置５による施開錠許可された電子鍵２のＩＤを記憶することができるメモリであって、ＲＡＭ、ＥＥＰＲＯＭなどにより構成することができる。また、このメモリには、図６に示すように電子錠装置５が自動的に開錠する時刻を表した開錠時刻及び、開錠状態を継続する時間を表す開錠時間を複数記憶することができる。この開錠時間・時刻はユーザが設定することができる。
通信部５２２は、Ｂｌｕｅｔｏｏｔｈのプロトコルに基づいて、電子鍵６から送信された電子錠６のＩＤを含む開錠要求を受信したり、所定のデータを電子錠２に対して送信することができる。また、通信部５２２は、Ｂｌｕｅｔｏｏｔｈなどの所定のプロトコルに基づいて家庭内端末７と通信を行うことができる。
【００２４】
開錠制御部５２３は、鍵装置２から開錠要求と共に送信されたＩＤが、メモリ５２１に登録されているＩＤと適合するか否か判別する。そして適合する場合には、開錠制御部５２３は、鍵機構５１を通電制御して、開放、施錠の動作を行わせることができる。
時計部５２４は、現在の時刻情報を生成する時計として機能する。
【００２５】
ドアセンサ制御部５２５は、ドア２の上端部等に取り付けられたセンサ８からの信号を受信して、ドア２が開放しているか、閉まっているか判別することができる。
なお、センサ８としては、光センサ、感圧センサなどの既存のセンサを用いることができる。このセンサ８は、これを例えば、ドア２の上部とドア枠にそれぞれ取り付けておき、ドアセンサ制御部５２５が、電子錠装置１に対して開錠要求がされないにもかかわらず、ドア１０１が開放したことを感知した場合に不正が行われたことを感知するようにしてもよい。
【００２６】
警報処理部５２３は、ドアセンサ制御部５２５によりドア２が不正に開けられたことを感知した場合に、警報を発する処理を行う。この警報としては、例えば、図示しない所定のスピーカーから警報音を発信したり、予めメモリ５２１に記憶さしておいたユーザのメールアドレスを基に、ユーザに警報メールを送信するようにしてもよい。
【００２７】
次に、本実施形態にかかる施錠方法の一実施形態について説明する。
まず、鍵装置６を保持しているユーザが、施錠されているドア２を開錠する際の処理について図７を参照して説明する。
なお、ユーザは電子錠装置５を開錠する前に、持っているキーにより鍵４を開錠して開ける。この際、ユーザは、第２の鍵である電子錠装置５を開錠するため、鍵装置６のボタン６ａを押すと、ボタン操作部６２がボタン６ａが押されたことを検知して制御部６４に通知し、通知を受けた制御部６４がメモリ６１に記憶されているＩＤを含む開錠要求を通信部３を介して電子錠装置５に送信する（Ｓ１０１）。
【００２８】
電子錠装置５の通信部５２２は、Ｂｌｕｅｔｏｏｔｈなどの所定のプロトコルに基づく鍵装置６からのＩＤを含む開錠要求を受信する（Ｓ１０２）。
そして、開錠制御部５２３が受信したＩＤがメモリ５２１に記憶されているＩＤに一致する適正なＩＤであるか否か判別する（Ｓ１０３）。
判別の結果、適合しない場合には、開錠制御部５２３は、所定のエラー処理を行い処理を終了する。なお、このエラー処理としては、例えば、開錠制御部５２３がエラーメッセージを鍵装置２に通知するようにしてもよい。
【００２９】
また判別の結果、受信したＩＤが適正であると判別された場合には、開錠制御部５２３は、錠機構部５１に対して開錠指示する（Ｓ１０５）。これにより、錠機構部５１のサーボモータ５１１が通電制御され、閂５１２がキー受け部５１３から外れる方向に回転して電子錠装置１が開錠する。
【００３０】
また、ドアセンサ制御部５２５は、センサ８からドア２が閉められたことを検知した信号を受信するまで検出を動作を繰り返す（Ｓ１０６）。
そして、ドアセンサ制御部５２５が、センサ８からドア１０１が閉められたことを検知すると、開錠制御部５２３が施錠機構部５１に対して施錠を指示して（Ｓ１０７）、処理を終了する。
これにより、錠機構部５１のサーボモータ５１１が通電制御され、閂５１２がキー受け部５１３に係合する方向に回転して電子錠装置１によりドア２の施錠がされる。
【００３１】
次に、電子錠装置１の開錠時間の設定及び自動開錠処理について図８を参照して説明する。
図８において、まず家庭内端末３により所定の開錠時刻・時間設定用のプログラムを起動して開錠時刻と開錠状態を継続する時間を入力して、開錠時刻・開錠時間の設定要求を行う（Ｓ２０１）。
この際の入力画面の一例を図９に示す。図９に示したように、開錠を開始する時刻を表す開錠時刻と、開錠を継続する時間をそれぞれプルダウンメニューなどにより入力できる画面が表示される。そして、この表示画面に従って開錠時刻及び時間の入力を行い、画面上の「設定ボタン」が指示されることにより、開錠時刻及び時間の設定要求が行われる。なお、開錠時刻の設定は１つだけでもよいし、また複数設定してもよい。また、入力はプルダウンメニューだけでなく、直接キーボードなどから時刻や時間を入力するようにしてもよい。
【００３２】
通信部５２２は、家庭内端末３からの開錠時刻・時間の設定要求を受け付け（Ｓ２０２）、開錠制御部５２３が受け付けた開錠時刻・時間をメモリ５２１に記憶する（Ｓ２０３）。これにより開錠時刻・時間の設定が完了する。
【００３３】
開錠時刻・時間の設定がされると、開錠制御部５２３は、所定のタイミングで時計部５２４の現在時刻を参照して、開錠時刻となったか否か繰り返して判別する（Ｓ２０４）。
判別の結果、開錠時刻となったと判別された場合には、開錠制御部５２３は施錠機構部５１に対して開錠指示を行い、電子錠装置１を開錠する（Ｓ２０５）。これにより、錠機構部５１のサーボモータ５１１が通電制御され、閂５１２がキー受け部５１３から外れる方向に回転して電子錠装置１が開錠する。
【００３４】
開錠制御部５２３は、時計部５２４を参照して、メモリ５２１に設定されている開錠時間が経過したか否か繰り返して判別する（Ｓ２０６）。
判別の結果、設定された開錠時間が経過したと判別された場合には、開錠制御部５２３は施錠装置に対して施錠指示を行い（Ｓ２０７）、処理を終了する。
この施錠指示により、錠機構部５１のサーボモータ５１１が通電制御され、閂５１２がキー受け部５１３に係合する方向に回転して電子錠装置１の施錠がされる。
【００３５】
次に、不正開錠に対する電子錠装置１の処理について図１０を参照して説明する。
図１０において、ドアセンサ制御部５２５は、電子錠装置５が施錠状態の時にドア２に取り付けられたセンサ８からドア２が開放した旨の信号を受信したか否か判別する処理を繰り返す（Ｓ３０１）。
【００３６】
この状態で、センサ８からドア２が開放したことが検知されると、ドアセンサ制御部５２５は警報処理部５２６に対して警報処理を行うよう通知する（Ｓ３０２）。この通知により警報処理部５２６は、図示しないブザーを鳴らしてたり、メモリ５２１に記憶されているユーザや警備会社などの電子メールアドレスに基づいて、これらに対して電子メールによる通知を行ったりして警報処理を実行して（Ｓ３０３）、処理を終了する。
【００３７】
このように、上述の本実施形態によれば、メモリ５２１に少なくとも一つの開錠する時刻情報を記憶しておき、開錠制御部５２３が時計部５２４の現在時刻を参照して、メモリ５２１に記憶されている開錠時刻となった時に自動に開錠するようにしたことから、万一、鍵装置６を無くしてしまった場合でも、開錠時刻さえ知っていれば、建物１に入ることができるし、この際にわずらわしいパスワードなどを覚えておいたり、ＩＤを入力するなどしなくともドア２を開けることができる。これにより、例えば、どの部屋でも開けられるマスターキーを用意しておく必要がなく、マスターキーが悪用されることを防止することができセキュリティ性を高めることができる。
【００３８】
また、メモリ５２１に開錠状態を継続する開錠時間を設定できるようにしたことから、それぞれの時刻にあわせた適切な開錠時間を設定することができる。
また、例えば、朝など忙しい時は長めの開錠時間を設定しておくことで、わざわざ電子錠装置５を開錠しなくてもよいし、また夜などは比較的短い開錠時間とすることにより安全性を高めるなどの利用が可能となる。
【００３９】
また、電子錠装置５を、ドア２の鍵４とは別の第２の鍵として利用することにより、たとえ電子錠装置５が開錠時刻に開錠しても、鍵４のキーを持っていない者はドア１を開けることができないためセキュリティ性を保つことができる。
また、電子錠装置５が内鍵とすることで、たとえ鍵４がピッキングにより開けられたとしても、電子錠装置５によりロックされているためドア２が空くことは無く、電子錠装置５を開錠するにはさらに時間がかかるため、ピッキング対策としての効果を発揮することができる。
【００４０】
また、電子錠が施錠されている時に、不正に開錠されたことを検知するセンサーを更に有していれば、例えば、ドア２の鍵４が不正に開けられて、ドア２を無理にこじ開けようとしたときなどに、ブザーを鳴らしたり、またこれをユーザや警備会社に通知するなどしてセキュリティを保つことができる。
【００４１】
また、図１１に示すように、メモリ５２１に鍵装置６からの開錠要求信号を無効とする無効時間帯を更に記憶しておき、開錠制御部５２３が時計部５２４を参照して鍵装置６からの開錠要求がされた時刻を特定し、当該時刻がメモリ５２１に記憶されている無効時間帯内である場合には、電子錠装置５の開錠を禁止するようにしてもよい。
この場合の電子錠装置５の処理の一例を図１２に示す。図１２に示すように、電子錠装置５の通信部５２２は、Ｂｌｕｅｔｏｏｔｈなどの所定のプロトコルに基づく鍵装置６からのＩＤを含む開錠要求を受信すると（Ｓ４０１）、開錠制御部５２４が時計部５２５を参照して現在時刻を特定する（Ｓ４０２）。
そして、開錠制御部５２４は、メモリ５２１に記憶されている無効時間を参照して、現在時刻が無効時間内か否か判別する（Ｓ４０３）。
判別の結果、無効時間内である場合には、開錠制御部５２４は施錠の開錠を禁止して、施錠状態をそのまま継続させて（Ｓ４０４）、処理を終了する。なお、この際、開錠制御部５２４が無効時間帯である旨のメッセージをユーザに通知してもよい。また、判別の結果、無効時間内ではない場合には、電子錠装置５は上述のＳ１０３以下と同様の処理を実行して施開錠処理を行う。
【００４２】
このように、メモリ５２１に鍵装置６からの開錠要求信号を無効とする無効時間帯を更に記憶しておき、開錠制御部５２３がこの無効時間帯は電子錠装置５の開錠を禁止することで、例えば、会社で働いているために必ず外出している平日の昼間など時間帯に、鍵装置６を不正に使用されることを防止できる。なお、この無効時間帯の設定も家庭内端末７から設定するようにしてもよい。
【００４３】
また、上述の実施形態では、ユーザが鍵装置６のボタン６ａを押すことにより開錠信号を送信する例について説明したが、ボタン６ａを設けずに、例えば、鍵装置６から送信されたＩＤを含む開錠要求信号が、通信部５２２により受信できる範囲内に入った時に、自動的に施錠を開錠するようにしてもよい。
この場合の電子錠装置５の処理の一例を図１３に示す。図１３に示すように、通信部５２２が時計部５２５を参照して所定の時間が経過したか所定のタイミングで判別する（Ｓ５０１）。
判別の結果、所定時間が経過した場合には、通信部５２２がその通信可能範囲内にある鍵装置６に対してＩＤを含む開錠要求信号を送信するよう指示する通知を行う（Ｓ５０２）。これにより、通信部５２２の通信可能な範囲（距離）内にある鍵装置６はこれに呼応してＩＤを含む開錠要求を送信することができるようになる。
そして、通信部５２２は、鍵装置６からＩＤを含む開錠要求を受信したか否か判別する（Ｓ５０３）。判別の結果、受信しない場合、即ち通信部５２２の通信可能範囲内に鍵装置６が存在していない場合には、上述のＳ５０１の処理に戻って処理を繰り返す。また、判別の結果、鍵装置６からＩＤを含む開錠要求を受信した場合には、上述のＳ１０３以下と同様の処理を実行して施開錠処理を行う。
【００４４】
このように、通信部５２２が、所定のタイミングで鍵装置６に対して開錠要求信号を送信するよう指示する通知を発信し、鍵装置６がこの指示信号を受信できる通信可能範囲内入ったときに、開錠要求信号を発信するようにすることで、ユーザはわざわざボタンを押さなくとも、電子錠装置５からの距離が所定の範囲内に入ると自動的に電子錠装置５が開錠されることになり、利便性をより一層向上させることができる。
【００４５】
また、上記家庭用端末７にかえて携帯電話端末、ＰＤＡ（Ｐｅｒｓｏｎａｌ  Ｄｉｇｉｔａｌ  Ａｓｓｉｓｔａｎｃｅ）などを用いてもよい。
なお、上述の実施形態では、家庭内端末７から開錠時刻・時間の設定を行う例について説明したが、本発明はこれに限定されるものではなく、例えば、電子錠装置５にディップスイッチを設けておき、これにうより開錠時刻・時間を設定したり、あるいは開錠要求できるＩＤの設定を行うようにしてもよい。
【００４６】
本実施形態の制御ユニット５２用のコンピュータプログラムを、コンピュータ読み取り可能な媒体（ＦＤ、ＣＤ−ＲＯＭ等）に格納して配布してもよいし、搬送波に重畳し、通信ネットワークを介して配信することも可能である。
【００４７】
【発明の効果】
本発明によれば、マスターキーを用意したり、またパスワードなどを覚えておいたり、ＩＤを入力するなどのわずらわしい処理をしなくとも、安全に開錠を行うことができる。
【図面の簡単な説明】
【図１】本発明にかかる一実施形態の全体構成図。
【図２】本実施形態にかかるドアの一例を示した斜視図。
【図３】本実施形態にかかる鍵装置の機能ブロック図。
【図４】本実施形態にかかる鍵機構の一例を示した模式図。
【図５】本実施形態にかかる制御ユニットの機能ブロック図。
【図６】本実施形態にかかる制御ユニットのメモリに記憶される開錠時刻、開錠時間の一例を示した図。
【図７】本実施形態にかかる電子錠装置を開錠する際の処理フロー。
【図８】本実施形態にかかる電子錠装置の開錠時間・時刻設定及び自動開錠を行う際の処理フロー。
【図９】本実施形態にかかる開錠時間、開錠時刻設定画面の一例を示した図。
【図１０】本実施形態にかかる不正開錠が行われた際の処理フロー。
【図１１】本発明の別の実施形態にかかる制御ユニットのメモリに記憶されるデータの一例を示した図。
【図１２】別の実施形態にかかる電子錠装置の処理フロー。
【図１３】本発明の更に別の実施形態にかかる電子錠装置の処理フロー。
【符号の説明】
１      建物
２      ドア
４      鍵
５      電子錠装置
６      鍵装置
７      家庭内端末
８      センサ
６１    メモリ
６２    ボタン操作部
６３    通信部
６４    制御部
５２１  メモリ
５２２  通信部
５２３  開錠制御部
５２４  時計部
５２５  ドアセンサ制御部
５２６  警報処理部
【図１】
2004308242.tif 000003
【図２】
2004308242.tif 000004
【図３】
2004308242.tif 000005
【図４】
2004308242.tif 000006
【図５】
2004308242.tif 000007
【図６】
2004308242.tif 000008
【図７】
2004308242.tif 000009
【図８】
2004308242.tif 000010
【図９】
2004308242.tif 000011
【図１０】
2004308242.tif 000012
【図１１】
2004308242.tif 000013
【図１２】
2004308242.tif 000014
【図１３】
2004308242.tif 000015